(57)【特許請求の範囲】
【請求項１】
カメラボディの外面を構成する外面カバーに、スライド自在なカバー部材を設けるとともに、カバー部材の所定位置への移動に連動して外面カバーの内面側に設けられたスイッチを切替えるようにしたカメラにおいて、
カバー部材の所定位置への移動に応答して回動する第１レバーと、第１レバーに固定され外面カバーに形成された軸穴を貫通する軸部と、この軸部の後端側に固定され外面カバーの内面側で回動して前記スイッチをオンさせる第２レバーとからなる連動レバーを一体成形品で構成するとともに、前記外面カバーには、前記第２レバーの外形状に合わせて形成した挿入用開口と、前記軸部が貫通される軸穴と、前記挿入用開口と前記軸穴との間で、前記軸部が前記軸穴から前記挿入用開口へ脱しないようにする突起部とからなる開口部を形成したことを特徴とするカメラ。
【発明の詳細な説明】
【０００１】
【発明の属する技術分野】
本発明はカメラに関するものであり、更に詳しくは、カメラのローコスト化に関するものである。
【０００２】
【従来の技術】
最近のコンパクトカメラの多くには、その前面に開閉自在なレンズカバーが組み付けられており、携帯時にはこれを閉じて撮影レンズを保護することができるようにしている。これらのカメラでは、レンズカバーの開閉操作に連動してカメラの電源スイッチのオン／オフ切替えを行っており、レンズカバーを所定の開き位置まで移動させたときにカメラの電源スイッチがオンする。図５にその一例を示す。
【０００３】
図５において、レンズカバー８２はカメラボディの前面を構成する前面カバー７１に組み付けられる。前面カバー７１には撮影レンズ鏡胴が出入りする開口７４が形成され、この開口７４がレンズカバー８２によって開閉される。前面カバー７１には、レンズカバー８２の上縁及び下縁に形成された突起が係合するガイド溝７１ａ，７１ｂが形成され、レンズカバー８２は左右方向にスライド操作自在である。レンズカバー８２の内面側に水平に延びたガイド溝８４が形成され、このガイド溝８４には前面カバー７１に突設したピン７３が係合している。ガイド溝８４はレンズカバー８２の移動量に応じた長さにしてあるため、ピン７３がガイド溝８４の各々の端部に当接することによって、レンズカバー８２の移動範囲が決められる。
【０００４】
上記レンズカバー８２を組み付ける前に、第１レバー７６と第２レバー７７とからなる連動レバー７５が前面カバー７１に取り付けられる。前面カバー７１に穴７２が形成され、この穴７２に第１レバー７６の軸部７９が回動自在に挿通される。軸部７９の後端は前面カバー７１の内面側に突出し、この後端に第２レバー７７がネジ止め、あるいは接着、カシメなどにより固定される。なお、軸部７９にはキー、第２レバー７７の取り付け穴にはキー溝などの位置決め部が形成され、第２レバー７７を軸部７９に取り付けるときに、第２レバー７７が第１レバー７６に対して一定の角度位置になるようにしてある。
【０００５】
第１レバー７６には前面側に突出したピン７８が形成され、このピン７８をレンズカバー８２の内面側に形成されたガイド溝８３に係合させるようにしてレンズカバー８２が前面カバー７１に取り付けられる。ガイド溝８３の一端側に屈曲溝８３ａが設けられ、レンズカバー８２を開き位置までスライドさせたときに、ピン７８を介して連動レバー７５を図中反時計方向に回動させる。これにより第２レバー７７は前面カバー７１の内面側で反時計方向に回動する。したがって、前面カバー７１の内面にカメラの電源スイッチとなるマイクロスイッチを固定すれば、第２レバー７７の反時計方向への回動によりこれを押圧してオンさせることができ、また、レンズカバー８２を開き位置から閉じ方向にスライドしたときに第２レバー７７を時計方向に回動させ、マイクロスイッチの押圧を解除してスイッチオフさせることができるようになる。
【０００６】
上記のように、前面カバーに取り付けた連動レバーをレンズカバーの開閉に連動して動作させ、これにより前面カバーの内面側に設けられている電源スイッチのオン／オフ切替えを行う構成にすると、レンズカバーが電源スイッチの切替え操作部材に兼用することができ、しかも連動レバーやスイッチを外部から完全に隠してしまうことができ好都合である。また、連動レバーはレンズカバーが所定の開き位置まで移動してきたときに、その動きを利用して電源スイッチを押圧すればよいだけなので、小型の部品にすることができる。
【０００７】
【発明が解決しようとする課題】
ところが、上記のカメラに組み込まれる連動レバーは、２部品構成になっているとともに、小さな部品をネジ止めや、接着等によって連結するという、組立て時において非常に手間のかかる工程を必要とする。よって、組立ての高効率化や、ローコスト化において非常に不利である。
【０００８】
本発明は上記問題点を解決するためのものであり、レンズカバーのスライド移動に連動して外装カバー内部の各種撮影機構を作動させる連動レバーを備えたカメラについて、連動レバーの部品点数を削減すること、及びネジ止めや、接着等の工程を無くすことにより組立てを容易にすることを目的とする。
【０００９】
【課題を解決するための手段】
上記目的を達成するために、本発明のカメラは、レンズカバーの開き位置への移動に応答して回動する第１レバーと、第１レバーに固定され前面カバーに形成された軸穴を貫通する軸部と、この軸部の後端側に固定され前面カバーに形成された軸穴を貫通する軸部と、この軸部の後端側に固定され前面カバーの内面側で回動してスイッチをオンさせる第２レバーからなる連動レバーを一体成形品で構成するとともに、前記外面カバーには、前記第２レバーの外形状に合わせて形成した挿入用開口と、前記軸部が貫通される軸穴と、前記挿入用開口と前記軸穴との間で、前記軸部が前記軸穴から前記挿入用開口へ脱しないようにする突起部とからなる開口部を形成している。
【００１０】
【発明の実施の形態】
本発明を実施したカメラの外観を示す図２において、カメラ２は、各種撮影機構と、その各種撮影機構が組み込まれた本体基部（図示せず）及び、この本体基部の前側及び後側に被せられる前面カバー５及び背面カバー６とからなるカメラ本体３と、このカメラ本体３の前面にスライド自在に取り付けられたレンズカバー４からなる。
【００１１】
カメラ２の前面には、ズーム光学系を構成する撮影レンズ８を保持するレンズ鏡筒９、測距用投光窓１０、対物側ファインダ窓１１、測距用受光窓１２、測光用測光窓１３等が設けられており、上面にはシャッタボタン１４とストロボ発光部１５とが設けられている。また、詳しくは図示しないが、カメラ本体３の背面にはズーム倍率や撮影モード、撮影サイズ等を切り替える各種操作スイッチや、各種情報を表示する液晶パネル、接眼側ファインダ窓等が設けられている。
【００１２】
不使用時の状態（図２（Ａ））ではレンズ鏡筒９およびストロボ発光部１５がカメラ本体３に収納された状態になっており、さらにレンズカバー４は撮影レンズ８、レンズ鏡筒９、および対物側ファインダ窓１１等を覆って保護した状態になっている。
【００１３】
使用時にはレンズカバー４を左方向にスライドさせて、撮影レンズ８、レンズ鏡筒９、および対物側ファインダ窓１１等を露呈させる。このとき、レンズカバー４のスライド移動に連動して、カメラ本体３内部の電源スイッチ２５（図３参照）をオンにするという連動機構が作動する。この電源スイッチ２５がオンすることによりレンズ鏡筒９がカメラ本体３の前面に突出し、ストロボ発光部１５が回動してストロボ発光窓１６が露呈する位置となる。（図２（Ｂ））
【００１４】
前述の連動機構は、図１のような構成になっている。前面カバー５には、ガイド溝５ａ及び５ｂが設けられ、またレンズカバー４の移動範囲を規制するためのピン２８が備えられており、さらに連動レバー２０を取り付けるための開口部２４が形成されている。
【００１５】
連動レバー２０は、第１、第２レバー２１、２２と、これらを繋ぐ軸２３とを一体に樹脂成形したものである。第１レバー２１は先端にピン２１ａが形成されており、一方、第２レバー２２は平面を基調とし、突起物等のない形状である。軸２３の断面は、図４で示すように円形の一部から面２３ａ及び面２３ｂを切り落とした形状になっており、その部分が周囲の部分より細くなっている。
【００１６】
開口部２４は、第２レバー２２の断面形状に合わせて一回り大きく開口した挿入部２４ｃと、連動レバー２０の軸２３を取り付けるために円形の一部を切り欠いた形状の軸受け部２４ａという二つの部分が繋がった形状となっている。挿入部２４ｃと軸受け部２４ａは概ね滑らかに繋がっているが、一ヶ所、突起部２４ｂがある。この突起部２４ｂは、軸２３を軸受け部２４ａに嵌め込んだ後は、軸２３が軸受け部２４ａから脱しないように規制する作用を行う。
【００１７】
レンズカバー４の上縁及び下縁には、前述の前面カバー５のガイド溝５ａ、５ｂに係合させるためのガイド片（図示せず）と、前述のピン２８及びピン２１ａがそれぞれ係合するガイド溝２６及び２７が形成されている。ガイド溝２７はレンズカバー４の移動量に応じた長さにしてあるため、ピン２８がガイド溝２７の各々の端部に当接することによって、レンズカバー４の移動範囲が決められる。
【００１８】
また、レンズカバー４の開閉操作に連動して、オン／オフの切替えがなされる電源スイッチ２５は、図３に示すように前面カバー５の内面側で、開口部２４に近接する位置に組み込まれている。
【００１９】
図４は連動レバー２０の組込作業についての説明図であり、前面カバー５の開口部２４付近のみを正面から見たものである。先ず開口部２４の挿入部２４ｃの位置に、第２レバー２２を合わせる。挿入部２４ｃは第２レバー２２の形状に合わせて開口されているので、挿入部２４ｃの内壁に沿って真っ直ぐに連動レバー２０を挿入する（図４（Ａ））。このとき挿入部２４ｃを含めた開口部２４においては、第２レバー２２は通過できるが、第１レバー２１は、第２レバー２２と軸２３を中心にしてねじれている角度関係になっているため、通過できない。よって、前面カバー５の裏側に第２レバー２２が突出し、そして、前面カバー５の表側に第１レバー２１が突出した状態となる。
【００２０】
次に、軸２３を開口部２４の内壁に沿わせて、連動レバー２０を移動させていき、取り付けを行う位置に合わせる（図４（Ｂ））。この後、軸２３において面２３ａ、２３ｂにより細くなっている部分を、軸受け部２４ａの切り欠いた部分から嵌め込むという工程が行われるが、突起部２４ｂが軸２３に干渉する。そこで、突起部２４ｂを変形させながら押し込ませることにより軸２３を通過させる。通過させた後、突起部２４ｂは材質の弾性により元の形状に戻り、軸２３は軸受け部２４ａから抜けなくなる。よって、連動レバー２０は軸受け部２４ａのまわりを回動自在に取り付けられ、第１レバー２１は前面カバーの表側、および第２レバー２２は裏側に突出する。
【００２１】
連動レバー２０を組み込んだ後、レンズカバー４の取り付けが行われる。レンズカバー４の上縁及び下縁に形成されたガイド片を、前面カバー５のガイド溝５ａ，５ｂに係合させることにより、レンズカバー４は前面カバー５にスライド自在に取り付けられる。このとき同時に、第１レバー２１の先端に形成されたピン２１ａにガイド溝２６を、前面カバー５に形成されたピン２８にガイド溝２７をそれぞれ係合させる。
【００２２】
上記連動機構の動作説明図を図３に示している。電源スイッチ２５は、ボタン２５ａが押圧されているときオンになり、押圧が解除されるとオフになる構造である。ボタン２５ａは前面カバー５の裏側で第２レバー２２の先端に近接する位置に組み込まれており、第２レバー２２以外にボタン２５ａに作用するものは組み込まれていない。
【００２３】
カメラの不使用時において（図３（Ａ））、レンズカバー４は、撮影レンズ８および対物側ファインダ窓１１等を収納した状態で係止機構により保持されている。このとき、第２レバー２２はボタン２５ａを押圧していないので電源スイッチ２５はオフになっている。
【００２４】
カメラの使用時には、撮影者はレンズカバー４を、係止機構で保持される開放位置までスライド移動させて、撮影レンズ８及び対物側ファインダ窓１１等を露呈させる（図３（Ｂ））。このとき、ピン２１ａがガイド溝２６の図中右端に形成される屈曲溝２６ａに押されることにより、第１レバー２１は軸２３を中心に図中反時計方向に回動する。したがって、第２レバー２２も同時に反時計方向に回動し、ボタン２５ａを押圧して電源スイッチ２５をオンさせることができる。また、撮影を終えてレンズカバー４を開き位置から閉じ方向にスライドさせると、第２レバー２２が時計方向に回動し、ボタン２５ａへの押圧が解除され電源スイッチ２５をオフにすることができる。
【００２５】
なお、上記実施形態では、スライド式のレンズカバーを利用し、連動レバーを介して電源スイッチをオン／オフさせるようにしたが、その他の各種操作部材等でも、外装カバーにスライド自在に取り付け、同様の連動レバーを介して各種スイッチ類の切替えを行うことができる。
【００２６】
また、上記実施形態では、連動レバーの組込作業において、外装カバーの表側から挿入し、係合させる手順としたが、外装カバーの裏側から挿入し、係合させるという構造にすることもできる。
【００２７】
【発明の効果】
以上説明したように、本発明のカメラでは、連動レバーが１部品で構成されており、部品点数の削減を行うことができる。また、組立工程においても、ネジ止めや接着等の工程が省略され、部品点数の削減と合わせて、ローコスト化を行うことができる。
【図面の簡単な説明】
【図１】連動レバーの構成を示す分解斜視図である。
【図２】本発明のカメラの外観を示す斜視図である。
【図３】連動レバーの構成を示す説明図である。
【図４】連動レバーの組立工程を示す説明図である。
【図５】従来の連動レバーの構成を示す分解斜視図である。
【符号の説明】
２  カメラ
３  カメラ本体
４，８２  スライドカバー
５，７１  前面カバー
８  撮影レンズ
９  レンズ鏡筒
１１  対物側ファインダ窓
１５  ストロボ発光部
２０，７５  連動レバー
【図１】
0003539671.tif 000002
【図２】
0003539671.tif 000003
【図３】
0003539671.tif 000004
【図４】
0003539671.tif 000005
【図５】
0003539671.tif 000006